(57)【要約】      （修正有）【課題】ユーザが受信機をオフにした直後に、またオンにしようとするとき、再起動の遅延をなくする。【解決手段】投射形の液晶表示テレビジョン受信システムが、バックライト光源として高輝度放電ランプを使用する。この放電ランプは、電源オフにされた直後は再び起動されず、再びオンにされないタイプのものである。表示スクリーン（画面）は、ユーザの電源オフ・コマンドに直ちに応答し、その電源オフ・コマンド直後の第１の期間中（例えば、３０秒間）、オフにされているように見せかける。オフにされているように見せかけているが、この第１の期間中、放電ランプは電源オンの状態に保たれている。第１の期間が経過する前にユーザが電源オン・コマンドを出すと、起動の遅延を生じない。第１の期間中に電源オン・コマンドを出さなければ、放電ランプはエネルギを断たれる（ｄｅ‐ｅｎｅｒｇｉｚｅｄ）。【選択図】図１
2008209925.tif 000002
【特許請求の範囲】
【請求項１】
ビデオ表示装置であって、
ディスプレイ画面と、
前記ディスプレイ画面上で画像を発生させるために通常のビデオ表示モードの間に付勢されるバックライト・ランプと、
入力電源オン制御信号と入力電源オフ制御信号の源と、
前記電源オフ制御信号に応答し、前記ランプに結合され、前記電源オフ制御信号の発生後の第１の期間の間、前記ランプを付勢し続けると共に、前記第１の期間の終了後に前記ランプに供給されるエネルギを減らすためのタイマーであって、前記第１の期間の間に前記電源オン制御信号が生じると、前記ランプの付勢が前記入力電源オン制御信号の発生後に減らされるのを防止し、代わりに、前記通常のビデオ表示モードの動作を再開する、前記タイマーと、
前記電源オフ制御信号に応答し、光源を含み、前記ディスプレイ画面を除く、前記第１の期間に電源オフ・モードに見せかけるための電源オフ表示器と、
からなる、前記ビデオ表示装置。
【発明の詳細な説明】
【技術分野】
【０００１】
本発明はビデオ・ディスプレイ（表示装置）の電源オン／オフ制御に関する。
【背景技術】
【０００２】
投射形ＬＣＤ（Ｌｉｑｕｉｄ  Ｃｒｙｓｔａｌ  Ｄｉｓｐｌａｙ：液晶ディスプレイ）／ＬＣＯＳ（Ｌｉｑｕｉｄ  Ｃｒｙｓｔａｌ  Ｏｎ  Ｓｉｌｉｃｏｎ：液晶オン・シリコン）テレビジョン（ＴＶ）受信システムはしばしば、高輝度放電ランプをバックライト光源として使用する。高輝度放電ランプは水銀蒸気で動作する。水銀蒸気がエネルギを失うのを妨げて再び水銀蒸気を活性化する（すなわち、放電ランプの電源を切った直後に再び電源を入れる）と、バルブ（ｂｕｌｂ：水銀ランプ）の寿命を縮めることが知られている。ある程度付勢（ｅｎｅｒｇｉｚｅ：エネルギを与える）されているバルブを再び付勢することは回避するべきであり、再起動の遅延を採用している投射システムもある。バルブが完全にエネルギを断たれる（例えば、約３０秒後に）までユーザはテレビジョン受信機を再びオンにする（電源を入れる）ことはできない。この方法はユーザにとって特に煩わしい。高輝度放電ランプを使用しないテレビジョン受信機ではすぐに再びオンにできるのに、それができずに、ユーザは起動の遅延を我慢しなければならない。この起動遅延には、バルブが冷却するまでの約３０秒と、バルブが再加熱されるまでの約３０秒が含まれる。
【発明の開示】
【発明が解決しようとする課題】
【０００３】
インフォーカス社（Ｉｎｆｏｃｕｓ  Ｃｏｒｐｏｒａｔｉｏｎ）が製作した、ＩｎＦｏｃｕｓＬＰ７５５型フロント・プロジェクタでは、システムの電源を切ることをリクエスト（ｒｅｑｕｅｓｔ：要求）するユーザのコマンドに応答して、「本当にシステムの電源を切りたいのですか」というメッセージを表示する。この方法は、電源を切る前に考え直す機会をユーザに与えるが、問題を直ちに解決するものではない。また、「パワーオフ（電源を切る）コマンド」のうち少なくとも約９０％は意図的になされるものなので、この方法は不適切である。ユーザが受信機をオフにした直後にまたオンにしようとするとき、再起動時の遅延を無くすことが望ましい。
【０００４】
本発明の特徴を具体化するテレビジョン受信機では、ユーザによる電源オフ・コマンドに直ちに応答して、オフにされている(電源が切られている)ように見せかける。オフに見せかけてはいるが、電源オフ・コマンドのすぐ後に続く第１の期間中（例えば、３０秒間）バルブは依然として電源オン状態に保たれている、すなわち付勢されている（ｅｎｅｒｇｉｚｅｄ）。
【０００５】
第１の期間が経過する前にユーザが電源オン・コマンドを出せば、起動の遅延は生じない。第１の期間は、不注意に出された電源オフのコマンドに対処できるよう十分に長くすべきである。従って、起動の遅延が生じるのは、第１の期間の経過後に電源オフのコマンドを出したときに限られる。
【０００６】
第１の期間中にテレビジョン受信機が電源オフになっているとユーザに思い込ませる、つまりユーザをだますことが望ましい。当然予期されることであるが、電源オフ・コマンドが実際にテレビジョン受信機をオフにしたかどうかを判断する際、ユーザが反応する映像および音声のキュー（ｃｕｅ）は、ユーザがそのような分析を特に意識していないとしても、ユーザによって異なる。画像の欠如、音声の欠如、および電源オン表示器からの光の欠如は、各々が単独にあるいは組み合わされて作用し、異なるユーザを、異なる時にだます。
【０００７】
本発明の構成によれば、第１の期間中、テレビジョン受信機は「ある程度」電源が切られているように見える。「ある程度」とは、点灯しているランプの光を完全に遮蔽することはできないからである。一般に、ランプは、キャビネットの背後に配置されており、誤って目を傷めないように十分に遮蔽されている。しかしながら、ランプは換気／冷却されており、光はいくらか必然的にキャビネットから漏れて、特に周辺光が薄暗いとき、ある程度気づかれる。更に、働き続けている冷却用ファンからの雑音も聞こえる。それにもかかわらず、テレビジョン受信機が何気なくスイッチを切られてから再びスイッチが入れられるまでの短時間に起こされる錯覚には十分な効果がある。結局、手品師の見物人たちは、その手品が錯覚によるものであることを十分に承知していながら、それでもそのトリックにスリルを感じることを思い起こされたい。
【課題を解決するための手段】
【０００８】
（発明の概要）
本発明の特徴を具体化するビデオ表示装置は、通常のビデオ表示モードの間、付勢されて画像を発生するためのバックライト・ランプを備え、入力電源オン制御信号源を備え、且つ入力電源オフ制御信号源を備える。第１のタイマーは、電源オフ制御信号に応答し、ランプに結合され、電源オフ制御信号発生後の第１の期間中、ランプを付勢された（ｅｎｅｒｇｉｚｅｄ）状態に保つ。ランプは第１の期間終了後に付勢を断たれる（ｄｅ‐ｅｎｅｒｇｉｚｅｄ）。第１の期間中に電源オン信号が生じると、ランプは第１の期間後に付勢（エネルギ）を断たれず、ビデオ表示モードが再開される。
【発明を実施するための最良の形態】
【０００９】
（発明の実施の形態）
図１は、本発明の特徴を具体化する、液晶ディプレイ（ＬＣＤ）または液晶オン・シリコン（ＬＣＯＳ）投射形テレビジョン（ＴＶ）受信機３００（図３に示す）の動作モードを説明するフローチャートである。テレビジョン受信機３００は、ライトバルブ（ｌｉｇｈｔ  ｖａｌｖｅ）３５０用のバックライト光源を形成する高輝度放電ランプ３０２を利用する。図２は、テレビジョン受信機３００の動作の詳細なフローチャートを示す。図１〜図３において同様な記号および番号は同様な要素または機能を示す。
【００１０】
多くの高精細度テレビジョン（ＨＤＴＶ）受信機は「ＴＶ」赤外線（ＩＲ）プレアムブル・コード（０）と「衛星／ＳＡＴ１」ＩＲプレアムブル・コード（８）に反応する。従って、以下の説明で、プレアムブル（ｐｒｅａｍｂｌｅ）は重要でないので省略する。以下の説明で、「Ｃ５」は「ＰＯＷＥＲ  ＯＮ（電源オン）」ＩＲコードであり、「Ｃ４」は「ＰＯＷＥＲ  ＯＦＦ（電源オフ）」ＩＲコード、「Ｄ５」は「ＰＯＷＥＲ  ＴＯＧＧＬＥ（電源トグル）」ＩＲコードである。これらの１６進法コードは製造者により異なるので、図面には記載されていない。また、大抵の受信機およびリモコン・システムは、電源オン／電源オフ・コマンド、または電源トグル・コマンドで動作するように設計されているが、この両方で動作するようには設計されていない。例えば、トムソン・マルチメディア社（Ｔｈｏｍｓｏｎ  Ｍｕｌｔｉｍｅｄｉａ）で製作される大多数のシステムは、３つのコマンドのすべてに応答し、これは図２のフローチャートおよび以下の説明に反映されている。
【００１１】
テレビジョン受信機３００（図３）が通常のビデオ表示モード（図１のブロック１１０）で動作すると仮定する。ユーザは、例えば、制御信号３０１とＩＲリンク３１０（図３）を介し電源オフ・コマンドを発生し、テレビジョン受信機３００は経路１１０ａ（フローチャート）を介して誤り回復モード（図１のブロック１１１）に入る。電源オフ・コマンドが不注意に出されると、その誤りから回復するために、制御信号３０４（図３）によって、例えば、３０秒以内に電源オン・コマンドを出して、テレビジョン受信機３００を再びオンにすることができる。この場合、受信機をオンにすることによる遅延は生じない。従って、テレビジョン受信機３００の表示スクリーン（画面）３０３は、従来の直視管またはリア‐プロジェクション（透過形）テレビジョン受信機について、ユーザが期待する通りの外観を呈する。
【００１２】
誤り回復モード（図１のブロック１１１）がないと、ランプ３０２（図３）が完全に付勢を断たれてからテレビジョン受信機３００を再びオンにするまでに約３０秒間待たなければならない。その上、ランプ３０２を再び点灯／付勢するために、さらに時間を要する。
【００１３】
誤り回復モード（図１のブロック１１１）は、期間Ｔ１（図３）に起こる。期間Ｔ１の間、ランプ３０２が依然としてオン状態にあり且つ十分に付勢されていても、テレビジョン受信機３００のスクリーン（画面）３０３は、テレビジョン受信機３００がオフにされているかのように見せかける。ユーザは、上述した期間Ｔ１（例えば３０秒）が切れる（経過する）前に、制御信号３０４によって、電源オン・コマンドまたは電源トグル（ｔｏｇｇｌｅ：他方の状態に切り換える）コマンドを発生することができ、テレビジョン受信機３００は素早く再び電源オンとなるように見える。テレビジョン受信機３００が実際には完全にオフにされたのではないことをユーザが知る必要はない。もしユーザが上述した期間（Ｔ１）が切れる前に制御信号３０４によって電源オン・コマンドを発生しなければ、モードが変って、経路１１１ｂ（図１のフローチャート）を通り、３０秒間のランプ冷却モード（図１のブロック１１２）になる。
【００１４】
もし３０秒のランプ冷却モード（図１のブロック１１２）の間に、テレビジョン受信機３００の電源を入れようとすれば、発光ダイオード（ＬＥＤ）３０６（図３）が点滅する。ＬＥＤ３０６の点滅で、コマンドは受信されたが、そのコマンドは処理されないことをユーザに知らせる。消費者は、あらゆる種類の器具における電源オン表示器で示される情報を信じるように長年にわたって訓練されてきている。
【００１５】
テレビジョン受信機３００（図３）は、通常のビデオ表示モード（図１のブロック１１０）で動作している、すなわちユーザがＴＶ番組を見ていると仮定する。通常のビデオ表示モードをステップ２０１（図２）に示す。ユーザはリモコン（図示せず）のＯＮ‐ＯＦＦボタンを一度押し、電源トグル（ＰＯＷＥＲ  ＴＯＧＧＬＥ）（Ｄ５）コマンド（図２のステップ２０２）をリモコン３０９からテレビジョン受信機３００に送る。または、ＯＮ‐ＯＦＦボタン（図示せず）を２秒‐ウインドウ内で２回押す（ＲＣＡ  ＣＲＫ７６型リモコンの特徴、いわゆる、ダブル‐オフ（ＤＯＵＢＬＥ  ＯＦＦ））。リモコン３０９で電源トグル（ＰＯＷＥＲ  ＴＯＧＧＬＥ）（Ｄ５）コマンドがテレビジョン受信機３００（図３）に送られる（図２のステップ２０３）だけでなく、コマンドのストリームがリモコン３０９により送られる。コマンド・ストリームの最後は、連続する３個のＴＶ電源オフ（Ｃ４）コマンドである。
【００１６】
従って、テレビジョン受信機３００（図３）は、誤り回復モード（図２のステップ２０４）に入る。このモードで、ランプ３０２はまだ点灯しているが、テレビジョン受信機３００（図３）がオフにされているような錯覚を起こすようにする。誤り回復モード（図１のブロック１１１）の間、表示スクリーン３０３（図３）のコントラスト／輝度（黒レベル）は、制御路３０５を介する制御回路３１１の働きによって最小限度にされる（例えば、ゼロに設定される）。制御回路３１１には、マイクロプロセッサ（図示せず）も含まれる。また、例えば、制御路３０５を介して、１つまたはそれ以上のディスプレイ・プロセッサをオフにすることにより映像は見えなくされる。更に、スピーカの音声は消され、フロント・パネル（ＦＰＡ）３０８に据えられた電源オン表示器ＬＥＤ３０６はオフにされる。真っ黒な画像を画面に表示するだけでは、テレビジョン受信機３００がオフにされていると見せかけて信じ込ませるのに十分ではないかもしれないことが分った。
【００１７】
ユーザからリモコン３０９により発生されるコマンドが受信される度に、テレビジョン受信機３００はＬＥＤ３０６を点滅させて、たとえそのコマンドがランプ冷却モードの間無視されても、すべてのコマンドの受信を認識し続けることができる。これらのステップが合わさって、テレビジョン受信機３００がオフになっていると信じ込ませるように見せかける。従って、制御回路３１１はランプ３０２を除くすべてのものをオフにする。
【００１８】
制御回路３１１の第１のタイム‐アウト・タイマー３１２が起動される（ステップ２０５）。タイマー３１２の有するタイム‐アウトの期間は、ランプ３０２が完全に付勢を断たれるのに要する時間に相当する。多くの場合、これには約３０秒を要する。第１のタイム‐アウト・タイマー３１２のタイム‐アウト期間は、ランプの冷却に要する時間とリンクされる必要はない。これは、都合のよい関係（ｒｅｆｅｒｅｎｃｅ）ではある。
【００１９】
もし誤り回復モードの終了前に、ＩＲリンク３１０（図３）を介して電源オン（Ｃ５）コマンドが受信されると（図２のステップ２０６）、受信機３００は誤り回復モードから出る（図２のステップ２０７）。その後、受信機３００は再びビデオ表示モードに入る（図２のステップ２０８）。ビデオ表示モードにおいて、映像は見えなくされず、音声も消されず、電源オン表示器はオンにされ、黒レベルは回復され、コントラストの設定も回復される。
【００２０】
もし、図２のステップ２０９で、誤り回復モードの終了前にＩＲリンク３１０（図３）を介して電源トグル（Ｃ５）コマンドが受信される（すなわち、ＯＮ‐ＯＦＦボタン（図示せず）がリモコンまたはフロント・パネルで押される）と、同様な状況が起こる。電源トグル・コマンドは電源オン・コマンドとして解釈され（図２のステップ２１０）、前述したように、受信機３００はビデオ表示モード（ステップ２０１）に再び入る。
【００２１】
もし誤り回復モードの終了前に電源オフ（Ｃ４）コマンドが受信されると（図２のステップ２１１）、そのコマンドは無視される（ステップ２１２）。実際上、ユーザの感覚では、テレビジョン受信機３００は既にオフにされている。従って、既にオフにされていると思われているテレビジョン受信機を再びオフになるように指令を出すのは論理的でない。また、もし誤り回復モードの間に何か他のＩＲコマンド（例えば、音量、チャンネル、装置キーなど）が受信されると（図２のステップ２１３）、テレビジョン受信機３００は、既にオフにされていると思われているので、そのコマンドは無視される。
【００２２】
第１のタイム‐アウト・タイマー３１２（図３）のタイム‐アウト期間が切れると（図２のステップ２１４）、オン／オフ信号３１３の働きで制御回路３１１はランプ３０２をオフにする。次に、制御回路３１１は、経路１１１ｂ（図１）を介し、ランプ冷却モードに入る（図１のブロック１１２、および図２のステップ２１５）。第２のタイム‐アウト・タイマー３１４（図３）が起動される（図２のステップ２１６）。タイム‐アウト・タイマー３１４（図３）の有するタイム‐アウト期間の長さは、少なくともランプ３０２に実際に必要とされる冷却期間（例えば、３０秒）である。
【００２３】
図２のステップ２１７と２２２に示すように、ランプ冷却モード（図１のブロック１１２）の間に、リモコン３０９（図３）またはフロント・パネル３０８から何かコマンドが受信されると、これらのコマンドは無視され捨てられる。無視または捨てられたコマンドは後で実行するために取っておかれることはなく（図２のステップ２１９）、テレビジョン受信機３００は、ランプ冷却モードに留まる。
【００２４】
電源オン（Ｃ５）、電源オフ（Ｃ４）または電源トグル（Ｄ５）コマンドがテレビジョン受信機３００で受信されると、フロント・パネル３０８の電源オンＬＥＤ３０６が明滅する（図２のステップ２１８）。この明滅によってユーザは、リモコン３０９（図３）が適正に動作しており、テレビジョン受信機３００も適正に動作していることを知る。しかしながら、テレビジョン受信機３００はその時、リクエストされた動作を開始することはできない。
【００２５】
第２のタイム‐アウト・タイマー３１４が切れると（図２のステップ２２０）、信号３１３の働きによってランプ３０２（図３）の電源は切られて、テレビジョン受信機３００は経路１１２ａ（図１）を介して、ＴＶ／ランプ・オフ・モードに入る。この状態（ＴＶ／ランプ・オフ・モード）をブロック１１３およびステップ２２１（図２）に示す。このモードにおいて、テレビジョン受信機３００は、事実、完全にオフにされている（リモコン３０９のような、幾つかの補助機能に必要とされる電源負荷を除く）。
【００２６】
例えば、信号３０４によって、電源オン・コマンドまたは電源トグル・コマンドが受信されると、テレビジョン受信機３００は、経路１１３ａ（図１）を介して、ランプ・ウオームアップ（ｗａｒｍ‐ｕｐ）・モードに入る（ブロック１１４）。このウオームアップ・モードで、画像は最初、約１０秒間見られ、そしてゆっくりと次第に明るくなる。３０秒のタイム‐アウトが切れると（ブロック１１４）、テレビジョン受信機３００（図３）は、経路１１４ａ（図１）を介してビデオ表示モードに入る。
【００２７】
誤り回復モード（図１のブロック１１１）の期間は、任意に３０秒に設定される、これは不注意に電源オフを起こす状況を変更する（例えば、子供をしつける、リモコンの上に座るのをやめる、リモコンを見つけて電源オンまたは電源トグル・コマンドを押す、など）のに十分な時間をユーザに与えると思われるからである。ランプ冷却モード（図１のブロック１１２）の期間は約３０秒と見積られる。すべての水銀がその“エネルギ”を失うまでにランプ３０２（図３）が要する時間を調べて、より良い見積りが見つかれば、その期間中はテレビジョン受信機３００を再びスイッチ‐オンにできない期間とされる。
【００２８】
“意図的でなく、不注意で行ったオフ”と“意図的に行ったオフ”とを区別する信頼できる方法はない。従って、間違えるにしても安全な方がよいので、オフ（電源トグルまたは不連続電源オフ）は常に不注意で行われたものと仮定される。不注意で行ったオフとして処理しないと、その結果（すなわち、テレビジョン受信機を直ちに再びオンにすることができない）は、不注意で行ったオフとして処理するよりも深刻になるからである。ユーザの感覚によれば、誤り回復モードにおいては、テレビジョン受信機は「オフ」になっているように見える。これは、ランプ冷却モードの間に、テレビジョン受信機をオンにしたいと望む人に付きまとう、避けられない問題である。しかしながら、テレビジョン受信機電源をオンにしたいという希望は、電源オフ・コマンド発生後の最初の３０秒間のうちに、それに続く次の３０秒間におけるよりも、起こり易いと考えられる。
【図面の簡単な説明】
【００２９】
【図１】本発明の特徴を具体化する、投射形テレビジョン受信機（図３）の動作モードの概略的フローチャートを示す。
【図２】前記投射形テレビジョン受信機の動作を説明する更に詳細なフローチャートを示す。
【図３】本発明の特徴を具体化する、投射形テレビジョン受信機をブロック図で示す。
【図１】
2008209925.tif 000003
【図２】
2008209925.tif 000004
【図３】
2008209925.tif 000005